(57)【要約】【課題】表示デバイスに表示したプレイリストを選択して所望の曲の再生を行う場合、表示デバイスの表示エリアが狭いと、ユーザが目的のプレイリストの認識のために表示スクロールを待つ必要があり、プレイリスト確定（曲選択）までに時間を要したり、誤操作により誤った曲を選択してしまうという課題があった。【解決手段】特定のプレイリスト表示の際に、表示データ切り換え部１１８は、再生管理データ記憶部１１５から表示データ抽出部１１６で抽出した表示データから、ローカル表示データ格納部１１７に格納してある、表示デバイスに適したローカル表示データに切り換えて表示することにより、上記課題を解決する。【選択図】図１
2006099898.tif 000002
【特許請求の範囲】
【請求項１】
少なくとも一つ以上の表示データを含む少なくとも一つ以上の再生管理データ、および、それぞれの再生管理データに対応した少なくとも一つ以上の再生データが記録された記録媒体から、少なくとも一つ以上の再生管理データを読み取って記憶し、記憶した再生管理データの中から特定の再生管理データを選択して、前記特定の再生管理データに対応する少なくとも一つ以上の再生データを記録媒体から読み取って再生処理を行う記録媒体再生装置であって、
前記記録媒体から読みとった再生管理データを記憶する再生管理データ記憶手段と、
前記再生管理データ記憶手段に記憶したすべてあるいは一部の再生管理データから表示データを抽出する表示データ抽出手段と、
ローカル表示データを格納しているローカル表示データ格納手段と、
前記表示データ抽出手段により抽出した表示データを前記ローカル表示データ格納手段に格納したローカル表示データに置き換えるかどうかを判断していずれか一方を表示データとして出力する表示データ切り換え手段と、
前記表示データ切り換え手段から出力した表示データの表示を行う表示手段とを有することを特徴とする記録媒体再生装置。
【請求項２】
前記表示データ抽出手段により抽出した表示データの管理ＩＤがあらかじめ定められた規定管理ＩＤである場合に、前記表示データ切り換え手段が、前記表示データ抽出手段により抽出した表示データから前記ローカル表示データ格納手段に格納している規定管理ＩＤに対応するローカル表示データに置き換えて表示データとして出力することを特徴とする請求項１記載の記録媒体再生装置。
【請求項３】
前記表示データ抽出手段により抽出した表示データの文字数があらかじめ定められた規定文字数をこえる場合に、前記表示データ切り換え手段が、前記表示データ抽出手段により抽出した表示データから前記ローカル表示データ格納手段に格納しているローカル表示データに置き換えて表示データとして出力することを特徴とする請求項１記載の記録媒体再生装置。
【請求項４】
前記表示データ抽出手段により抽出した表示データの文字列があらかじめ定められた規定文字列である場合に、前記表示データ切り換え手段が、前記表示データ抽出手段により抽出した表示データから前記ローカル表示データ格納手段に格納しているローカル表示データに置き換えて表示データとして出力することを特徴とする請求項１記載の記録媒体再生装置。
【請求項５】
少なくともそれぞれニつ以上の表示データを含む少なくとも一つ以上の再生管理データ、および、それぞれの再生管理データに対応した少なくとも一つ以上の再生データが記録された記録媒体から、少なくとも一つ以上の再生管理データを読み取って記憶し、記憶した再生管理データの中から特定の再生管理データを選択して、前記特定の再生管理データに対応する少なくとも一つ以上の再生データを記録媒体から読み取って再生処理を行う記録媒体再生装置であって、
前記記録媒体から読みとった再生管理データを記憶する再生管理データ記憶手段と、
前記再生管理データ記憶手段に記憶したすべてあるいは一部の再生管理データからそれぞれ少なくとも二つ以上の表示データを抽出する表示データ多重分離手段と、
前記表示データ多重分離手段により抽出した少なくとも二つ以上の表示データのうち少なくとも一つ以上の表示データを表示データとして出力する表示データ選択手段と、
前記表示データ選択手段から出力した表示データの表示を行う表示手段とを有することを特徴とする記録媒体再生装置。
【請求項６】
再生管理データに含まれる少なくとも二つ以上の表示データがそれぞれあらかじめ定められた順序で多重化されており、前記表示データ選択手段が、前記表示データ多重分離手段により抽出した少なくとも二つ以上の表示データの多重化順序に従って、前記表示手段に最適な表示データを選択して表示データとして出力することを特徴とする請求項５記載の記録媒体再生装置。
【請求項７】
再生管理データに含まれる少なくとも二つ以上の表示データがそれぞれ表示データＩＤを有し、前記表示データ多重分離手段により抽出した少なくとも二つ以上の表示データの表示データＩＤに従って、前記表示データ選択手段が、前記表示手段に最適な表示データを選択して表示データとして出力することを特徴とする請求項５記載の記録媒体再生装置。
【請求項８】
少なくとも一つ以上の表示データを含む少なくとも一つ以上の再生管理データ、および、それぞれの再生管理データに対応した少なくとも一つ以上の再生データが記録された記録媒体から、少なくとも一つ以上の再生管理データを読み取って記憶し、記憶した再生管理データの中から特定の再生管理データを選択して、前記特定の再生管理データに対応する少なくとも一つ以上の再生データを記録媒体から読み取って再生処理を行う記録媒体再生装置であって、
前記記録媒体から読みとった再生管理データを記憶する再生管理データ記憶手段と、
前記再生管理データ記憶手段に記憶したすべてあるいは一部の再生管理データから表示データを抽出する表示データ抽出手段と、
前記表示データ抽出手段により抽出した表示データの部分位置を指定する部分位置指定手段と、
前記部分位置指定手段により指定された表示データの部分位置を前記表示データ抽出手段により抽出した表示データから抽出して表示データとして出力する表示データ部分抽出手段と、
前記表示データ部分抽出手段から出力した表示データの表示を行う表示手段とを有することを特徴とする記録媒体再生装置。
【発明の詳細な説明】
【技術分野】
【０００１】
本発明は、少なくとも一つ以上の表示データを含む少なくとも一つ以上の再生管理データ（例えばプレイリスト）、および、それぞれの再生管理データに対応した少なくとも一つ以上の再生データ（例えばＭｐｅｇ  Ａｕｄｉｏ  Ｌａｙｅｒ  ＩＩＩ形式、以下ＭＰ３と称する形式のもの）が記録された記録媒体から、少なくとも一つ以上の再生管理データを読み取って記憶し、記憶した再生管理データの中から特定の再生管理データを選択および決定して、前記特定の再生管理データに対応する少なくとも一つ以上の再生データを記録媒体から読み取って再生処理を行う記録媒体再生装置に関するものである。
【背景技術】
【０００２】
近年、パソコンのハードディスクなどに保存した膨大な数のＭＰ３音楽データの中から所望のＭＰ３音楽データを選択して再生させるために、プレイリストという概念が用いられている。プレイリストとは、言いかえれば曲名リストのことであり、例えば、再生するＭＰ３音楽データのファイル名を再生順に並べたものである。
【０００３】
パソコンでＭＰ３音楽データを再生する場合には、モニタ画面上に、複数のプレイリストの名称（およびプレイリストに記述された曲名リスト）を表示し、ユーザがこれらのプレイリスト群の中から所望のプレイリストを選択することによって、所望のＭＰ３音楽データを比較的容易に探し出して再生することができる。
【０００４】
しかしながら、ポータブルＣＤや半導体オーディオなどの小型オーディオ機器においては、一般に表示デバイスが小さいため表示エリアが狭く、このプレイリスト機能の利点を十分に発揮することができないことが多い。例えば、表示デバイスの表示エリアの表示文字数には制限があるため、文字数の多いプレイリストを表示するためには、スクロール表示という手法をとることが多いが、そのプレイリスト名の最終文字を認識するまでに、かなりの時間を要する場合があり、急いで読みとろうとすると誤認してしまうという課題があった。
【０００５】
そこで、上記プレイリスト表示のアプリケーションに限った例ではないが、表示デバイスに複数の文字サイズを表示する機能を持たせ、文字数が多い場合には、文字サイズを小さくして多くの文字列を表示し、ユーザの文字認識性を向上させる、という構成が実用化されている（たとえば特許文献１）。
【特許文献１】特開平０８−７９３６４号公報
【発明の開示】
【発明が解決しようとする課題】
【０００６】
しかしながら、例えば、液晶リモコンタイプのポータブルオーディオ機器においては、表示デバイスは液晶リモコンであるため、一般的に表示エリアが極端に狭い。そのため文字サイズを小さくすると、余計に視認性が劣化するという課題を有していた。また表示デバイスに複数の文字サイズを表示する機能をもたせるためには、コストアップの要因になるという課題も有していた。
【課題を解決するための手段】
【０００７】
上記課題に対応するために、本発明の記録媒体再生装置の第１の構成は、少なくとも一つ以上の表示データを含む少なくとも一つ以上の再生管理データ、および、それぞれの再生管理データに対応した少なくとも一つ以上の再生データが記録された記録媒体から、少なくとも一つ以上の再生管理データを読み取って記憶し、記憶した再生管理データの中から特定の再生管理データを選択して、前記特定の再生管理データに対応する少なくとも一つ以上の再生データを記録媒体から読み取って再生処理を行う記録媒体再生装置であって、前記記録媒体から読みとった再生管理データを記憶する再生管理データ記憶手段と、前記再生管理データ記憶手段に記憶したすべてあるいは一部の再生管理データから表示データを抽出する表示データ抽出手段と、ローカル表示データを格納しているローカル表示データ格納手段と、前記表示データ抽出手段により抽出した表示データを前記ローカル表示データ格納手段に格納したローカル表示データに置き換えるかどうかを判断していずれか一方を表示データとして出力する表示データ切り換え手段と、前記表示データ切り換え手段から出力した表示データの表示を行う表示手段とを有するものである。
【０００８】
この第１の構成において、前記表示データ抽出手段により抽出した表示データの管理ＩＤがあらかじめ定められた規定管理ＩＤである場合に、前記表示データ切り換え手段が、前記表示データ抽出手段により抽出した表示データから前記ローカル表示データ格納手段に格納している規定管理ＩＤに対応するローカル表示データに置き換えて表示データとして出力する構成とすることができる。
【０００９】
また、この第１の構成において、前記表示データ抽出手段により抽出した表示データの文字数があらかじめ定められた規定文字数をこえる場合に、前記表示データ切り換え手段が、前記表示データ抽出手段により抽出した表示データから前記ローカル表示データ格納手段に格納しているローカル表示データに置き換えて表示データとして出力する構成とすることができる。
【００１０】
さらに、この第１の構成において、前記表示データ抽出手段により抽出した表示データの文字列があらかじめ定められた規定文字列である場合に、前記表示データ切り換え手段が、前記表示データ抽出手段により抽出した表示データから前記ローカル表示データ格納手段に格納しているローカル表示データに置き換えて表示データとして出力する構成とすることができる。
【００１１】
また、本発明の記録媒体再生装置の第２の構成は、少なくともそれぞれニつ以上の表示データを含む少なくとも一つ以上の再生管理データ、および、それぞれの再生管理データに対応した少なくとも一つ以上の再生データが記録された記録媒体から、少なくとも一つ以上の再生管理データを読み取って記憶し、記憶した再生管理データの中から特定の再生管理データを選択して、前記特定の再生管理データに対応する少なくとも一つ以上の再生データを記録媒体から読み取って再生処理を行う記録媒体再生装置であって、前記記録媒体から読みとった再生管理データを記憶する再生管理データ記憶手段と、前記再生管理データ記憶手段に記憶したすべてあるいは一部の再生管理データからそれぞれ少なくとも二つ以上の表示データを抽出する表示データ多重分離手段と、前記表示データ多重分離手段により抽出した少なくとも二つ以上の表示データのうち少なくとも一つ以上の表示データを表示データとして出力する表示データ選択手段と、前記表示データ選択手段から出力した表示データの表示を行う表示手段とを有するものである。
【００１２】
この第２の構成において、再生管理データに含まれる少なくとも二つ以上の表示データがそれぞれあらかじめ定められた順序で多重化されており、前記表示データ選択手段が、前記表示データ多重分離手段により抽出した少なくとも二つ以上の表示データの多重化順序に従って、前記表示手段に最適な表示データを選択して表示データとして出力する構成とすることができる。
【００１３】
さらに、この第２の構成において、再生管理データに含まれる少なくとも二つ以上の表示データがそれぞれ表示データＩＤを有し、前記表示データ多重分離手段により抽出した少なくとも二つ以上の表示データの表示データＩＤに従って、前記表示データ選択手段が、前記表示手段に最適な表示データを選択して表示データとして出力する構成とすることができる。
【００１４】
さらに、本発明の記録媒体再生装置の第３の構成は、少なくとも一つ以上の表示データを含む少なくとも一つ以上の再生管理データ、および、それぞれの再生管理データに対応した少なくとも一つ以上の再生データが記録された記録媒体から、少なくとも一つ以上の再生管理データを読み取って記憶し、記憶した再生管理データの中から特定の再生管理データを選択して、前記特定の再生管理データに対応する少なくとも一つ以上の再生データを記録媒体から読み取って再生処理を行う記録媒体再生装置であって、前記記録媒体から読みとった再生管理データを記憶する再生管理データ記憶手段と、前記再生管理データ記憶手段に記憶したすべてあるいは一部の再生管理データから表示データを抽出する表示データ抽出手段と、前記表示データ抽出手段により抽出した表示データの部分位置を指定する部分位置指定手段と、前記部分位置指定手段により指定された表示データの部分位置を前記表示データ抽出手段により抽出した表示データから抽出して表示データとして出力する表示データ部分抽出手段と、前記表示データ部分抽出手段から出力した表示データの表示を行う表示手段とを有するものである。
【発明の効果】
【００１５】
本発明の記録媒体再生装置は、ポータブルオーディオ機器の液晶リモコンなど、表示デバイスの表示エリアが極端に狭い機器において、
（１）上記第１の構成によれば、再生管理データから抽出した表示データと、機器ローカルにあらかじめ格納しておいたローカル表示データとを比較して、どちらが表示デバイスにとって最適かどうかを判断し、ローカル表示データの方が最適な場合は、再生管理データから抽出した表示データの代わりにローカル表示データを表示デバイスに表示するよう制御することにより、コストアップなく、ユーザに対するプレイリストの認識性を向上させることができる。
【００１６】
（２）上記第２の構成によれば、再生管理データから抽出した複数の表示データの中から、どの表示データが表示デバイスにとって最適かどうかを判断し、最適な表示データを表示デバイスに表示するよう制御することにより、コストアップなく、ユーザに対するプレイリストの認識性を向上させることができる。
【００１７】
（３）上記第３の構成によれば、再生管理データから抽出した表示データにおいて、表示データ中の特定の部分位置を指定することにより、表示データから部分表示データを抽出し、この部分表示データを表示デバイスに表示するよう制御することにより、コストアップなく、ユーザに対するプレイリストの認識性を向上させることができる。
【発明を実施するための最良の形態】
【００１８】
（実施の形態１）
本発明の実施の形態１における、記録媒体再生装置について、図面を参照しつつ説明する。以下の各実施形態においては記録媒体再生装置として光ディスク再生装置を例としてプレイリストのような再生管理情報に基づいて曲の再生を行う際に、コストアップなく、ユーザに対するプレイリストの認識性を向上させるという目的を、簡易な方法で実現する。
【００１９】
図１は本実施の形態１の光ディスク再生装置の構成を示すブロック図、図２は図１における表示データ切り換え部の構成を示すブロック図、図９は再生管理データ（プレイリスト）のデータ構造の一例を示す説明図、図１０は図９における再生管理データ（プレイリスト）のツリー構造を示す説明図、図１１、図１２は図９におけるプレイリスト名を選択している様子を示す説明図、図１３は図９におけるプレイリスト名をスクロール表示している様子を示す説明図、図１４はローカル表示データのデータ構造の一例を示す説明図、図１６、図１７は図１、図２における光ディスク再生装置の動作を示すフローチャート、図２４は図１における光ディスク再生装置の一例を示すブロック図である。
【００２０】
図１に示すように、光ディスク再生装置１００は、再生データ読み取り制御部１１１、信号処理部１１２、システム制御部１１３、再生管理データ読み取り制御部１１４、再生管理データ記憶部１１５、表示データ抽出部１１６、ローカル表示データ格納部１１７、表示データ切り換え部１１８、表示部１１９を含んで構成される。光ピックアップ手段、光ディスク１１０を駆動するスピンドルモータ手段、およびそれらを駆動制御する手段等は光ディスク再生装置としては公知のものであり、本発明の主題には関わらないので以下のすべての実施形態において説明を省く。
【００２１】
図２に示すように、表示データ切り換え部１１８は、プレイリストＩＤ抽出部２０１、切り換え部２０２を含んで構成される。図２４に示すように、光ディスク再生装置２４００は、表示部１１９、システム制御部１１３を含み、システム制御部１１３には起動キー２４０１、プレイリストＵＰキー２４０２、再生キー２４０３、プレイリストＤＯＷＮキー２４０４、ヘッドホン２４０５を含んで構成される。
【００２２】
このように構成された光ディスク再生装置１００について、図１、図２、図９〜図１４、図１６、図１７および図２４を用いて説明する。
【００２３】
まず、図１および図１６を用いて、光ディスク再生装置１００の基本動作について説明する。図１に示すように、光ディスク再生装置１００は、再生管理データ取得指示により（Ｓ１６０１）、システム制御部１１３が再生管理データ読み取り制御部１１４に対して再生管理データ取得要求を行い、再生管理データを未取得かどうか判断し（Ｓ１６０２）、未取得の場合、光ディスク１１０からすべての再生管理データを読み取り（Ｓ１６０３）、読み取った再生管理データを再生管理データ記憶部１１５に記憶し（Ｓ１６０４）、表示データ抽出部１１６によって例えば一つ目の再生管理データに含まれる表示データを抽出し（Ｓ１６３０）、表示部１１９によってこの表示データを表示する（Ｓ１６０６）。
【００２４】
そして、再生管理データ選択指示により（Ｓ１６０１）、システム制御部１１３が再生管理データ記憶部１１５に対して再生管理データ選択要求を行い、表示データ抽出部１１６によって例えば再生管理データ選択指示が“次”を示す指示であれば二つ目の再生管理データに含まれる表示データを抽出し、表示部１１９によってこの表示データを表示する（Ｓ１６０６）。
【００２５】
そして、再生データ取得指示により（Ｓ１６０１）、再生データ読み取り制御部１１１は、再生管理データ記憶部１１５より現在表示している再生管理データに対応する再生データの記録位置を取得し（Ｓ１６０９）、光ディスク１１０から対応する再生データを読み取り（Ｓ１６１０）、信号処理部１１２によって信号処理を行って再生データの再生を行う（Ｓ１６１１）。
【００２６】
次に、図９〜図１３および図２４を用いて、再生管理データのデータ構造、光ディスク再生装置の動作について詳細に説明する。
【００２７】
再生管理データ（プレイリスト）のデータ構造の一例を示す説明図である図９、そして図９における再生管理データ（プレイリスト）のツリー構造を示す説明図である図１０に示すように、再生管理データ（プレイリスト）９００は、“ＡＬＬ  ＯＦ  ＤＩＳＣ１”（Ｄ１００１）、“ＡＬＬ  ＯＦ  ＤＩＳＣ２”（Ｄ１０１１）、“ＡＬＬ  ＯＦ  ＤＩＳＣ３”（Ｄ１０２１）および“ＭＹＢＥＳＴ”（Ｄ１０３１）といった４つのプレイリストについて記述された例であり、プレイリストＩＤ、プレイリスト名、このプレイリストを選択したときに再生する音楽データのファイル名（Ｄ１００２,Ｄ１０１２,Ｄ１０２２,Ｄ１０３２）、および、それらの音楽データの光ディスク１１０上の記録位置、などが記述されている。また、プレイリストＩＤには、図９のように、あらかじめ規定された規定ＩＤ（ここでは０ｘ０１〜０ｘ０３）と、ユーザが自由に使用できるユーザＩＤ（ここでは０ｘ１０）があり、“ＡＬＬ  ＯＦ  ＤＩＳＣ１”、“ＡＬＬ  ＯＦ  ＤＩＳＣ２”、“ＡＬＬ  ＯＦ  ＤＩＳＣ３”の３つが規定ＩＤとして記述され、“ＭＹＢＥＳＴ”のみがユーザＩＤとして記述されている。ここで、ファイル名や記録位置については、再生管理データ内に記述されている必要はなく、別データからリンクさせることも可能であり、記述箇所を限定するものではない。
【００２８】
図９におけるプレイリスト名を選択している様子を示す説明図の図１１と、図１における光ディスク再生装置の一例を示すブロック図の図２４を用い、図２４に示すように、光ディスク再生装置１１０は、起動キー２４０１を押下することにより再生管理データ取得指示を受け、表示部１１９によりプレイリストの表示を行い、プレイリストＵＰキー２４０２およびプレイリストＤＯＷＮキー２４０４を押下することにより再生管理データ選択指示を受け、プレイリスト表示を次々と変更し（Ｄ１１０１,Ｄ１１０２,Ｄ１１０３,Ｄ１１０４）、再生キー２４０３を押下することにより、再生データ取得指示を受け、そのときに表示していたプレイリストに対応する音楽データを再生し、ヘッドホン２４０５により音楽データを聞くものである。
【００２９】
図９におけるプレイリスト名を選択している様子を示す説明図の図１２、図９におけるプレイリスト名をスクロール表示している様子を示す説明図の図１３を用い、図１２に示すように、表示部１１９は表示エリアが、例として６文字である表示デバイスである。また、図９に示すように、プレイリスト名の文字列長さが６文字以上のものも存在する。このようなプレイリスト名を表示部１１９に表示する場合、図１２に示すように、“ＭＹＢＥＳＴ”については文字列長さが６文字以内なので“ＭＹＢＥＳＴ”のすべての文字列を表示することができるが（Ｄ１２０４）、“ＡＬＬ  ＯＦ  ＤＩＳＣ１”、“ＡＬＬ  ＯＦ  ＤＩＳＣ２”、“ＡＬＬ  ＯＦ  ＤＩＳＣ３”は、すべて“ＡＬＬ  ＯＦ”（Ｄ１２０１,Ｄ１２０２,Ｄ１２０３）という同じ６文字の文字列として表示されてしまい、区別がつかない。そこで、図１３に示すように、一般的には、１文字ずつスクロールさせて表示データの末尾文字まで表示する（Ｄ１３０１,Ｄ１３０２,Ｄ１３０３,Ｄ１３０４,Ｄ１３０５,Ｄ１３０６,Ｄ１３０７）という手法がとられるが、スクロール表示が終わるまでには時間を要するため、ずばやく所望のプレイリストを探したい場合においては、決して良い手法とは言えない。
【００３０】
ここで、本実施の形態の特長について、図１、図２、図９、図１４、図１６および図１７を用いて詳細に説明する。図１に示すように、光ディスク再生装置１００は、表示データ切り換え部１１８において、表示データ抽出部１１６によって抽出した表示データから、ローカル表示データ格納部１１７に格納したローカル表示データに切り換えて出力するよう構成されており、表示データ切り換え部１１８では、図２に示すように、プレイリストＩＤ抽出部２０１において、再生管理データから抽出した表示データのプレイリストＩＤを抽出し（図１７のＳ１７０２）、そのプレイリストＩＤが規定ＩＤ（図９における０ｘ０１〜０ｘ０３）かどうか判定して（Ｓ１７０３）、規定ＩＤである場合に、ローカル表示データ格納部１１７からそのプレイリストＩＤに対応するローカル表示データの取得を行う（図１６のＳ１６０７）。
【００３１】
図１４（ａ）に示すように、ローカル表示データ１４００は、規定ＩＤそれぞれに対応した６文字以内の表示データであり、プレイリストＩＤ抽出部２０１から要求があった場合には、対応するローカル表示データを表示データ切り換え部１１８に対して提供する。ローカル表示データ１４００は、例えば、図９の規定ＩＤのプレイリスト名が、プレイリスト規格上、固定プレイリスト名として規格化されている場合に、表示部１１９の表示能力に合わせた文字列を規定ＩＤに対応させてあらかじめ生成して記憶させておいたものである。あるいは、規格化に関わらず、ユーザが任意にローカルデータを書き換える構成を備えていてもよい。
【００３２】
そして、プレイリストＩＤ抽出部２０１は、切り換え部２０２に対して切り換え要求を行い、切り換え部２０２は、表示データ抽出部１１６によって抽出した表示データから、ローカル表示データ格納部１１７から取得したローカル表示データに切り換えて出力する（Ｓ１６０８）。
【００３３】
このよに、本実施形態によれば、表示データ切り換え部１１８が、再生管理データから抽出した表示データのプレイリストＩＤが規定ＩＤかどうか判定して、規定ＩＤである場合にローカル表示データ格納部１１７からそのプレイリストＩＤに対応するローカル表示データの取得を行い、表示データ抽出部１１６によって抽出した表示データから、ローカル表示データ格納部１１７から取得した桁数の少ないローカル表示データに切り換えて表示部１１９で表示することにより、表示桁数が少なくても、スクロールすることなくプレイリストを表示することができる。
【００３４】
（実施の形態２）
以下、本発明の実施の形態２における記録媒体再生装置について、図面を参照しつつ説明する。図３は図１における表示データ切り換え部の構成を示すブロック図、図１８は図１、図３における光ディスク再生装置の動作を示すフローチャートである。図１、図９〜図１４、図１６、図２４は、実施の形態１で用いたものであり図面の説明を省く。また前出の図面におけるものと同様の機能の部分には同じ符号を付けて示してある。
【００３５】
図３に示すように、表示データ切り換え部１１８は、プレイリストＩＤ抽出および表示データ文字数計算部３０１、切り換え部３０２を含んで構成される。
【００３６】
このように構成された光ディスク制御装置１００について、図１、図３、図９〜図１４、図１６、図１８および図２４を用いて説明するが、図１および図１６による光ディスク再生装置１００の基本動作については、実施の形態１と同様のため省略する。また、図９〜図１３および図２４を用いての再生管理データのデータ構造、光ディスク再生装置の動作についての説明も実施の形態１と同様のため省略する。
【００３７】
ここで、本実施の形態の特長について、図１、図３、図９、図１４、図１６および図１８を用いて詳細に説明する。図１に示すように、光ディスク再生装置１００は、表示データ切り換え部１１８において、表示データ抽出部１１６によって抽出した表示データから、ローカル表示データ格納部１１７に格納したローカル表示データに切り換えて出力するよう構成されており、表示データ切り換え部１１８では、図３に示すように、プレイリストＩＤ抽出部および表示データ文字数計算部３０１において、再生管理データから抽出した表示データのプレイリストＩＤを抽出して表示データの文字数を計算し（図１８のＳ１８０２）、その文字数が例えば表示デバイス表示エリアの表示可能文字数（図１８では６文字と仮定）をこえるかどうか判定して（Ｓ１８０３）、こえる場合に、ローカル表示データ格納部１１７からそのプレイリストＩＤに対応するローカル表示データの取得を行う（図１６のＳ１６０７）。
【００３８】
図１４（ａ）に示すように、ローカル表示データ１４００は、プレイリストＩＤそれぞれに対応した６文字以内の表示データであり、プレイリストＩＤ抽出および表示データ文字数計算部３０１から要求があった場合には、対応するローカル表示データを表示データ切り換え部１１８に対して提供する。ローカル表示データ１４００は、例えば、図９の規定ＩＤのプレイリスト名が、プレイリスト規格上、固定プレイリスト名として規格化されている場合に、表示部１１９の表示能力に合わせた文字列を規定ＩＤに対応させてあらかじめ生成して記憶させておいたものである。あるいは、規格化に関わらず、ユーザが任意にローカルデータを書き換える構成を備えていてもよい。そして、プレイリストＩＤ抽出および表示データ文字数計算部３０１は、切り換え部３０２に対して切り換え要求を行い、切り換え部３０２は、表示データ抽出部１１６によって抽出した表示データから、ローカル表示データ格納部１１７から取得したローカル表示データに切り換えて出力する（Ｓ１６０８）。
【００３９】
このよに本実施形態では、表示データ切り換え部１１８が、プレイリストＩＤ抽出部および表示データ文字数計算部３０１において、再生管理データから抽出した表示データのプレイリストＩＤを抽出して表示データの文字数を計算し、その文字数が表示デバイス表示エリアの表示可能文字数をこえるかどうか判定して、こえる場合に、ローカル表示データ格納部１１７からそのプレイリストＩＤに対応するローカル表示データの取得を行い、プレイリストＩＤ抽出および表示データ文字数計算部３０１は、切り換え部３０２に対して切り換え要求を行い、切り換え部３０２は、表示データ抽出部１１６によって抽出した表示データから、ローカル表示データ格納部１１７から取得したローカル表示データに切り換えて出力することにより、表示桁数が少なくても、スクロールすることなくプレイリストを表示することができる。
【００４０】
（実施の形態３）
以下、本発明の実施の形態３における記録媒体再生装置について、図面を参照しつつ説明する。図４は図１における表示データ切り換え部の構成を示すブロック図、図１９は図１、図４における光ディスク再生装置の動作を示すフローチャートである。図１、図９〜図１４、図１６、図２４は実施の形態１、２で用いたものであり図面の説明を省く。また前出の図面におけるものと同様の機能の部分には同じ符号を付けて示してある。図４に示すように、表示データ切り換え部１１８は、規定文字列比較部４０１、切り換え部４０２を含んで構成される。
【００４１】
このように構成された光ディスク制御装置１００について、図１、図４、図９〜図１４、図１６、図１９および図２４を用いて説明するが、図１および図１６を用いた光ディスク再生装置１００の基本動作については、実施の形態１と同様のため省略する。また、図９〜図１３および図２４を用いた、再生管理データのデータ構造、光ディスク再生装置の動作についての説明も、実施の形態１と同様のため省略する。
【００４２】
ここで、本実施の形態の特長について、図１、図４、図９、図１４、図１６および図１９を用いて詳細に説明する。図１に示すように、光ディスク再生装置１００は、表示データ切り換え部１１８において、表示データ抽出部１１６によって抽出した表示データから、ローカル表示データ格納部１１７に格納したローカル表示データに切り換えて出力する構成であり、表示データ切り換え部１１８では、図４に示すように、規定文字列比較部４０１において、再生管理データから抽出した表示データが規定文字列を含んでいるかどうか判定し（図１９のＳ１９０３）、含む場合に、ローカル表示データ格納部１１７からその規定文字列に対応するローカル表示データの取得を行う（図１６のＳ１６０７）。
【００４３】
図１４（ｂ）に示すように、ローカル表示データ１４０１は、規定文字列それぞれに対応した６文字以内の表示データであり、規定文字列比較部４０１から要求があった場合には、対応するローカル表示データを表示データ切り換え部１１８に対して提供する。ローカル表示データ１４０１は、例えば、図９のプレイリスト名が、規定ＩＤの存在に関わらず、プレイリスト規格上、固定プレイリスト名として規格化されている場合に、表示部１１９の表示能力に合わせた文字列を規定文字列に対応させてあらかじめ生成して記憶させておいたものである。あるいは、規格化に関わらず、ユーザが任意にローカルデータを書き換える構成を備えていてもよい。そして、規定文字列比較部４０１は、切り換え部４０２に対して切り換え要求を行い、切り換え部４０２は、表示データ抽出部１１６によって抽出した表示データから、ローカル表示データ格納部１１７から取得したローカル表示データに切り換えて出力する（図１６のＳ１６０８）。
【００４４】
このよに本実施形態では、表示データ切り換え部１１８が、規定文字列比較部４０１において、再生管理データから抽出した表示データが規定文字列を含んでいるかどうか判定し、含む場合に、ローカル表示データ格納部１１７からその規定文字列に対応するローカル表示データの取得を行い、規定文字列比較部４０１は、切り換え部４０２に対して切り換え要求を行い、切り換え部４０２は、表示データ抽出部１１６によって抽出した表示データから、ローカル表示データ格納部１１７から取得したローカル表示データに切り換えて出力することにより、表示桁数が少なくても、スクロールすることなくプレイリストを表示することができる。
【００４５】
（実施の形態４）
以下、本発明の実施の形態４における記録媒体再生装置について、図面を参照しつつ説明する。図５は本実施の形態４の光ディスク再生装置の構成を示すブロック図、図６は図５における表示データ選択部の構成を示すブロック図、図１５は再生管理データ（プレイリスト）のデータ構造を示す説明図、図２０、図２１は図５、図６における光ディスク再生装置の動作を示すフローチャート、図２４は図５における光ディスク再生装置の一例を示すブロック図である。
【００４６】
図５に示すように、光ディスク再生装置５００は、再生データ読み取り制御部１１１、信号処理部１１２、システム制御部１１３、再生管理データ読み取り制御部１１４、再生管理データ記憶部１１５、表示データ多重分離部５１６、表示データ選択部５１８、表示部１１９を含んで構成される。図６に示すように、表示データ選択部５１８は、選択部６０２を含んで構成される。
【００４７】
このように構成された光ディスク制御装置５００について、図５、図６、図９〜図１３、図１５、図２０、図２１および図２４を用いて説明する。ここで図９〜図１３および図２４を用いての、再生管理データのデータ構造、光ディスク再生装置の動作についての詳細は、実施の形態１と同様のため省略する。また前出の図面におけるものと同様の機能の部分には同じ符号を付けて示してある。
【００４８】
まず、図５および図２０を用いて、光ディスク再生装置５００の基本動作について説明する。図５の光ディスク再生装置５００は、再生管理データ取得指示により（図２０のＳ１６０１）、システム制御部１１３が再生管理データ読み取り制御部１１４に対して再生管理データ取得要求を行い、再生管理データを未取得かどうか判断し（Ｓ１６０２）、未取得の場合、光ディスク１１０からすべての再生管理データを読み取り（Ｓ１６０３）、読み取った再生管理データを再生管理データ記憶部１１５に記憶し（Ｓ１６０４）、表示データ多重分離部５１６によって、例えば一つ目の再生管理データに含まれる表示データ群を多重分離し（Ｓ２０３０）、表示データ選択部５１８によって複数の表示データの中から少なくとも一つ以上の表示データを選択し（Ｓ２０１２）、表示部１１９によってこの表示データを表示する（Ｓ２００６）。
【００４９】
そして、再生管理データ選択指示により（Ｓ１６０１）、システム制御部１１３が再生管理データ記憶部１１５に対して再生管理データ選択要求を行い、表示データ多重分離部５１６によって例えば再生管理データ選択指示が“次”を示す指示であれば二つ目の再生管理データに含まれる表示データ群を抽出し、表示データ選択部５１８によって複数の表示データの中から少なくとも一つ以上の表示データを選択し（Ｓ２０１２）、表示部１１９によってこの表示データを表示する（Ｓ２００６）。
【００５０】
そして、再生データ取得指示により（Ｓ１６０１）、再生データ読み取り制御部１１１は、再生管理データ記憶部１１５より現在表示している再生管理データに対応する再生データの記録位置を取得し（Ｓ１６０９）、光ディスク１１０から対応する再生データを読み取り（Ｓ１６１０）、信号処理部１１２によって信号処理を行って再生データの再生を行う（Ｓ１６１１）。
【００５１】
次に、本実施の形態の特長について、図５、図６、図１５、図２０および図２１を用いて詳細に説明する。再生管理データ（プレイリスト）のデータ構造の一例を示す説明図である図１５において、図（ａ）に示すように、再生管理データ（プレイリスト）１５００は、“ＡＬＬ  ＯＦ  ＤＩＳＣ１”、およびその他（例として、ここではＤＩＳＣ１）、といった複数のプレイリスト名を持つものについて記述された例であり、１つのプレイリストに２つのプレイリスト名、このプレイリストを選択したときに再生する音楽データのファイル名、および、それらの音楽データの光ディスク１１０上の記録位置、などが記述されている。２つのプレイリスト名は、あらかじめ規定された順序で多重化されており、それを使用する機器側が、多重分離した後でそれらの多重化順序を管理しておくことにより、最適なプレイリスト名を選択することができる。
【００５２】
また、図１５（ｂ）に示すように、再生管理データ（プレイリスト）１５０１は、さらにプレイリスト名ごとにあらかじめ規定された表示ＩＤが記述された例である。これを使用する機器側が、表示ＩＤを選択することにより、最適なプレイリスト名を選択することができる。ここで、ファイル名や記録位置については、再生管理データ内に記述されている必要はなく、別データからリンクさせることも可能であり、記述箇所を限定するものではない。
【００５３】
図５に示すように、光ディスク再生装置５００は、表示データ選択部５１８において、表示データ多重分離部５１６によって多重分離した表示データ群の中から少なくとも一つ以上の表示データを選択して出力するよう構成されている。表示データ選択部５１８では、図６に示すように、選択部６０２において、多重分離された表示データ群の中から最適な（表示デバイスの表示能力に応じた）表示データを選択して出力する（図２０のＳ２０１２）。図５（ａ）に示す通り、あらかじめ、例えば、第一のプレイリスト名がプレイリスト名の全文字列を示し、第二のプレイリスト名がプレイリスト名の６文字以内の簡略文字列を示すよう規定しておけば、表示部１１９の表示文字数が６文字の場合は、表示データ選択部５１８において、第二のプレイリスト名を選択することにより、表示スクロールなしでプレイリスト視認性を高めることが可能になる。
【００５４】
このよに本実施形態では、再生管理データ（プレイリスト）が、１つのプレイリストに複数のプレイリスト名を持ち、複数のプレイリスト名は、あらかじめ規定された順序で多重化されており、光ディスク再生装置５００が、多重分離した後でそれらの多重化順序を管理しておくことにより、表示データ選択部５１８の選択部６０２において、多重分離された表示データ群の中から最適な（表示デバイスの表示能力に応じた）表示データを選択して出力することにより、さらには再生管理データがプレイリスト名ごとにあらかじめ規定された表示ＩＤが記述されたものであれば、これを使用する機器側が、表示ＩＤを選択することにより、表示桁数が少なくても、スクロールすることなくプレイリストを表示することができる。
【００５５】
（実施の形態５）
以下、本発明の実施の形態５における記録媒体再生装置について、図面を参照しつつ説明する。図７は図５における表示データ選択部の構成を示すブロック図、図２２は図７における光ディスク再生装置の動作を示すフローチャートである。図９〜図１３および図２４は実施の形態１で用いたものであり、図５、図１５、図２０は実施の形態４で用いたものでありそれぞれ図面の説明を省く。また前出の図面におけるものと同様の機能の部分には同じ符号を付けて示してある。
【００５６】
図７に示すように、表示データ選択部５１８は、第一の表示ＩＤ抽出部７０３、第二の表示ＩＤ抽出部７０４、第Ｎの表示ＩＤ抽出部７０５、選択部７０２を含んで構成される。
【００５７】
このように構成された光ディスク制御装置５００について、図５、図７、図９〜図１５、図２０、図２２および図２４を用いて説明する。図５および図２０を用いた光ディスク再生装置５００の基本動作については、実施の形態４と同様のため省略する。また、図９〜図１３および図２４を用いた再生管理データのデータ構造、光ディスク再生装置の動作についての詳細説明は、実施の形態１と同様のため省略する。
【００５８】
次に、本実施の形態の特長について、図５、図７、図１５、図２０および図２２を用いて詳細に説明する。図１５（ａ）において、再生管理データ（プレイリスト）１５００は、“ＡＬＬ  ＯＦ  ＤＩＳＣ１”、およびその他（ＤＩＳＣ１）、といった複数のプレイリスト名を持ったものについて記述された例であり、１つのプレイリストに２つのプレイリスト名、このプレイリストを選択したときに再生する音楽データのファイル名、および、それらの音楽データの光ディスク１１０上の記録位置、などが記述されている。２つのプレイリスト名は、あらかじめ規定された順序で多重化されており、それを使用する機器側が、多重分離した後でそれらの多重化順序を管理しておくことにより、最適なプレイリスト名を選択することができる。
【００５９】
また、図１５（ｂ）に示すように、再生管理データ（プレイリスト）１５０１は、さらにプレイリスト名ごとにあらかじめ規定された表示ＩＤが記述された例である。これを使用する機器側が、表示ＩＤを選択することにより、最適なプレイリスト名を選択することができる。ここで、ファイル名や記録位置については、再生管理データ内に記述されている必要はなく、別データからリンクさせることも可能であり、記述箇所を限定するものではない。
【００６０】
図５に示すように、光ディスク再生装置５００は、表示データ選択部５１８において、表示データ多重分離部５１６によって多重分離した表示データ群の中から少なくとも一つ以上の表示データを選択して出力するように構成されている。表示データ選択部５１８では、図７に示すように、第一の表示ＩＤ抽出部７０３、第ニの表示ＩＤ抽出部７０４、第Ｎの表示ＩＤ抽出部７０５において、表示データ群それぞれ、つまり、第一の表示データ、第二の表示データ、第Ｎの表示データについて表示ＩＤの抽出を行い、選択部７０２において、多重分離された表示データ群の中から最適な（表示デバイスの表示能力に応じた）表示データを選択して出力する（図２０のＳ２０１２）。図５（ｂ）に示す通り、あらかじめ、例えば、表示ＩＤ＝０ｘ０１のプレイリスト名がプレイリスト名の全文字列を示し、表示ＩＤ＝０ｘ０２のプレイリスト名がプレイリスト名の６文字以内の簡略文字列を示すよう規定しておけば、表示部１１９の表示文字数が６文字の場合は、表示データ選択部５１８において、第二のプレイリスト名を選択することにより、表示スクロールなしでプレイリスト視認性を高めることが可能になる。
【００６１】
このよに本実施形態では、１つのプレイリストに複数のプレイリスト名を持ち、複数のプレイリスト名は、あらかじめ規定された順序で多重化された再生管理データ（プレイリスト）を用い、光ディスク再生装置５００が、多重分離した後でそれらの多重化順序を管理しておくことにより、さらにはプレイリスト名ごとにあらかじめ規定された表示ＩＤが記述されることにより最適なプレイリスト名を選択することができ、表示桁数が少なくても、スクロールすることなくプレイリストを表示することができる。
【００６２】
（実施の形態６）
以下、本発明の実施の形態６における記録媒体再生装置について、図面を参照しつつ説明する。図８は本実施の形態６の光ディスク再生装置の構成を示すブロック図、図２３は図８における光ディスク再生装置の動作を示すフローチャート、図２４は図８における光ディスク再生装置の一例を示すブロック図である。図９〜図１３および図２４を用いた再生管理データのデータ構造、光ディスク再生装置の動作についての詳細は、実施の形態１と同様のため省略する。また前出の図面におけるものと同様の機能の部分には同じ符号を付けて示してある。
【００６３】
図８に示すように、光ディスク再生装置８００は、再生データ読み取り制御部１１１、信号処理部１１２、システム制御部１１３、再生管理データ読み取り制御部１１４、再生管理データ記憶部１１５、表示データ抽出部８１６、表示データ部分抽出部８１８、表示部１１９、部分位置指定部８２０を含んで構成される。
【００６４】
このように構成された光ディスク制御装置８００について、図８〜図１３、図２３および図２４を用いて説明する。まず、図８および図２３を用いて、光ディスク再生装置８００の基本動作について説明する。図８に示すように、光ディスク再生装置８００は、再生管理データ取得指示により（図２３のＳ１６０１）、システム制御部１１３が再生管理データ読み取り制御部１１４に対して再生管理データ取得要求を行い、再生管理データを未取得かどうか判断し（Ｓ１６０２）、未取得の場合、光ディスク１１０からすべての再生管理データを読み取り（Ｓ１６０３）、読み取った再生管理データを再生管理データ記憶部１１５に記憶し（Ｓ１６０４）、表示データ抽出部８１６によって例えば一つ目の再生管理データに含まれる表示データを抽出し（Ｓ１６３０）、表示部１１９によってこの表示データを表示し（Ｓ２３０６）、そして、再生管理データ選択指示により（Ｓ１６０１）、システム制御部１１３が再生管理データ記憶部１１５に対して再生管理データ選択要求を行い、表示データ抽出部８１６によって例えば再生管理データ選択指示が“次”を示す指示であれば二つ目の再生管理データに含まれる表示データを抽出し、表示部１１９によってこの表示データを表示する（Ｓ２３０６）。
【００６５】
そして、再生データ取得指示により（Ｓ１６０１）、再生データ読み取り制御部１１１は、再生管理データ記憶部１１５より現在表示している再生管理データに対応する再生データの記録位置を取得し（Ｓ１６０９）、光ディスク１１０から対応する再生データを読み取り（Ｓ１６１０）、信号処理部１１２によって信号処理を行って再生データの再生を行う（Ｓ１６１１）。
【００６６】
次に、本実施の形態の特長について、図８、図９および図２３を用いて詳細に説明する。図８に示すように、光ディスク再生装置８００は、表示データ部分抽出部８１８において、表示データ抽出部８１６によって抽出した表示データの一部分だけを抽出して出力する構成であり、表示データ部分抽出部８１８では、部分位置指定部８２０において、例えば、末尾６文字と指定した場合、表示データ抽出部８１６で抽出したプレイリスト名の末尾６文字だけを抽出して出力する。図９における“ＡＬＬ  ＯＦ  ＤＩＳＣ１”の場合、“□ＤＩＳＣ１”となる（□は空白文字）。この６文字の表示データを表示部１１９に出力することにより、末尾にキーワードがくるようなプレイリスト名については、表示スクロールなしでプレイリスト視認性を高めることが可能になる。
【００６７】
このよに本実施形態では、表示データ部分抽出部８１８において、表示データ抽出部８１６によって抽出した表示データの一部分だけを抽出して出力する構成であり、表示データ部分抽出部８１８では、部分位置指定部８２０において、例えば、末尾６文字と指定した場合、プレイリスト名の末尾６文字だけを抽出して出力することにより、末尾にキーワードがくるようなプレイリスト名については、最適なプレイリスト名を選択することができ、表示桁数が少なくても、スクロールすることなくプレイリストを表示することができる。
【００６８】
なお、上記実施の形態６では、表示データの部分指定を末尾６文字として説明したが、途中の数文字を指定しても同様な効果を実現可能であるため、これ以外の構成を排除するものではない。
【００６９】
なお、上記本発明のすべての実施の形態では、記録媒体再生装置の記録媒体が光ディスクであることとして説明したが、光ディスクに限らず、磁気ディスクや半導体記録媒体など、これ以外の記録媒体や、これ以外の読み取り構成にも適用可能であるため、それらを除外するものではない。また再生のみのものに止まらず記録媒体に記録可能なものが含まれるのは当然である。
【００７０】
また、本発明のすべての実施の形態では、表示デバイスの表示エリアに焦点を当てて説明したが、例えば、英数表示可能や漢字表示可能などの表示デバイスの能力に応じて最適な表示に切り換えたり選択したりする構成としても同様な効果を実現可能であるため、例示以外の構成を排除するものではない。
【００７１】
また、本発明のすべての実施の形態では、再生管理データ取得指示、再生管理データ選択指示、再生データ取得指示、といった指示系統で動作する構成として説明したが、これらの順序や指示方法を特に限定するものではない。
【００７２】
また、本発明のすべての実施の形態では、再生管理データを最初にすべて取得する構成として説明したが、最初は一部だけ取得する構成でも同様な効果を実現可能であるため、これ以外の構成を排除するものではない。
【００７３】
さらに、本発明のすべての実施の形態では、表示デバイスの表示能力として、表示文字数に限定して説明したが、英数／カタカナ／漢字などの文字コードの違いによって、ローカル表示に置き換えたり、あるいは、複数の表示データ群から選択したりする構成も可能であり、これ以外の構成を排除するものではない。
【産業上の利用可能性】
【００７４】
本発明によれば、特に表示デバイスの表示エリアが狭いポータブル型の再生機器において、表示の視認性を向上させることが可能であり、かつ小型化と低価格化を図れる産業上の利用可能性の高いものである。
【図面の簡単な説明】
【００７５】
【図１】本発明の実施の形態１、２、３における光ディスク再生装置の構成を示すブロック図
【図２】本発明の実施の形態１における表示データ切り換え部の構成を示すブロック図
【図３】本発明の実施の形態２における表示データ切り換え部の構成を示すブロック図
【図４】本発明の実施の形態３における表示データ切り換え部の構成を示すブロック図
【図５】本発明の実施の形態４、５における光ディスク再生装置の構成を示すブロック図
【図６】本発明の実施の形態４における表示データ選択部の構成を示すブロック図
【図７】本発明の実施の形態５における表示データ選択部の構成を示すブロック図
【図８】本発明の実施の形態６における光ディスク再生装置の構成を示すブロック図
【図９】本発明の実施の形態１、２、３、６における再生管理データ（プレイリスト）のデータ構造の一例を示す説明図
【図１０】図９における再生管理データ（プレイリスト）のツリー構造を示す説明図
【図１１】図９におけるプレイリスト名を選択している様子を示す説明図
【図１２】図９におけるプレイリスト名を選択している様子を示す説明図
【図１３】図９におけるプレイリスト名をスクロール表示している様子を示す説明図
【図１４】本発明の実施の形態１、２、３におけるローカル表示データのデータ構造の一例を示す説明図
【図１５】本発明の実施の形態４、５における再生管理データ（プレイリスト）のデータ構造の一例を示す説明図
【図１６】本発明の実施の形態１、２、３における光ディスク再生装置の動作を示すフローチャート
【図１７】本発明の実施の形態１における表示データ切り換え部の動作を示すフローチャート
【図１８】本発明の実施の形態２における表示データ切り換え部の動作を示すフローチャート
【図１９】本発明の実施の形態３における表示データ切り換え部の動作を示すフローチャート
【図２０】本発明の実施の形態４、５における光ディスク再生装置の動作を示すフローチャート
【図２１】本発明の実施の形態４における表示データ選択部の動作を示すフローチャート
【図２２】本発明の実施の形態５における表示データ選択部の動作を示すフローチャート
【図２３】本発明の実施の形態６における光ディスク再生装置の動作を示すフロ−チャート
【図２４】本発明の実施の形態１、２、３、４、５、６における光ディスク再生装置の一例を示すブロック図
【符号の説明】
【００７６】
１００    光ディスク再生装置
１１１    再生データ読み取り制御部
１１２    信号処理部
１１３    システム制御部
１１４    再生管理データ読み取り制御部
１１５    再生管理データ記憶部
１１６    表示データ抽出部
１１７    ローカル表示データ格納部
１１８    表示データ切り換え部
１１９    表示部
２０１    プレイリストＩＤ抽出部
２０２    切り換え部
３０１    プレイリストＩＤ抽出および表示データ文字数計算部
３０２    切り換え部
４０１    規定文字列比較部
４０２    切り換え部
５００    光ディスク再生装置
５１６    表示データ多重分離部
５１８    表示データ選択部
６０２    選択部
７０２    選択部
７０３    第一の表示ＩＤ抽出部
７０４    第二の表示ＩＤ抽出部
７０５    第Ｎの表示ＩＤ抽出部
８００    光ディスク再生装置
８１６    表示データ抽出部
８１８    表示データ部分抽出部
８２０    部分位置指定部
９００    再生管理データ（プレイリスト）
１４００    ローカル表示データ
１５００    再生管理データ（プレイリスト）
１５０１    再生管理データ（プレイリスト）
２４００    光ディスク再生装置
２４０１    起動キー
２４０２    プレイリストＵＰキー
２４０３    再生キー
２４０４    プレイリストＤＯＷＮキー
２４０５    ヘッドホン
【図１】
2006099898.tif 000003
【図２】
2006099898.tif 000004
【図３】
2006099898.tif 000005
【図４】
2006099898.tif 000006
【図５】
2006099898.tif 000007
【図６】
2006099898.tif 000008
【図７】
2006099898.tif 000009
【図８】
2006099898.tif 000010
【図９】
2006099898.tif 000011
【図１０】
2006099898.tif 000012
【図１１】
2006099898.tif 000013
【図１２】
2006099898.tif 000014
【図１３】
2006099898.tif 000015
【図１４】
2006099898.tif 000016
【図１５】
2006099898.tif 000017
【図１６】
2006099898.tif 000018
【図１７】
2006099898.tif 000019
【図１８】
2006099898.tif 000020
【図１９】
2006099898.tif 000021
【図２０】
2006099898.tif 000022
【図２１】
2006099898.tif 000023
【図２２】
2006099898.tif 000024
【図２３】
2006099898.tif 000025
【図２４】
2006099898.tif 000026